(57)【特許請求の範囲】
【請求項１】
配電線の事故に関する事故情報を収集する事故情報収集方法であって、
配電線と当該配電線に接続されている監視子局を紐付ける第１の対応表が予め記憶部に格納されており、
事故が発生した配電線を示す情報を受信するステップと、
当該事故が発生した配電線を示す情報と前記第１の対応表とに基づき、当該事故が発生した配電線に接続する通信監視子局を抽出するステップと、
前記抽出した通信監視子局に対して前記事故情報を収集するステップと、
設備情報を管理するサーバから、配電線と当該配電線に接続されている監視子局を紐付ける第２の対応表を受信するステップと、
前記第１の対応表と、前記第２の対応表とに差異があるかを判断するステップと、
前記判断の結果、差異がある場合に、前記第２の対応表にのみ記載された監視子局の情報を差分情報として抽出するステップと、
前記抽出した前記第２の対応表にのみ記載された監視子局に対して前記事故情報を収集するステップと、
を備えることを特徴とする事故情報収集方法。
【請求項２】
請求項１に記載の事故情報収集方法において、
前記第２の対応表は、前記第１の対応表よりも更新タイミングが早いことを特徴とする事故情報収集方法。
【請求項３】
請求項２に記載の事故情報収集方法において、
前記第１の対応表は、所定のタイミングで前記設備情報を管理するサーバから前記第２の対応表を受信することで、情報を書き換えることを特徴とする事故情報収集方法。
【請求項４】
請求項１乃至３のいずれか一項に記載の事故情報収集方法において、
前記事故情報を収集するステップでは、前記監視子局に対して事故時以外の通常時で収集する情報よりも少ない項目の情報について収集するように指示を出すことを特徴とする事故情報収集方法。
【請求項５】
請求項１乃至４のいずれか一項に記載の事故情報収集方法において、
前記監視子局に接続される監視対象の機器の種別に応じた優先度が前記監視子局に割り当てられており、
前記事故情報を収集するステップでは、前記優先度に応じて優先度の高い監視子局から事故情報の収集を行なうことを特徴とする事故情報収集方法。
【請求項６】
請求項１乃至５のいずれか一項に記載の事故情報収集方法において、
前記事故情報を収集するステップでは、収集する対象の通信監視子局の数が規定値以上であった場合に、当該監視子局にブロードキャストで情報収集要求を出し、一定時間後に応答がなかった監視子局に対して、再度個別に事故情報の収集を行うことを特徴とする事故情報収集方法。
【請求項７】
監視制御サーバと監視制御親局と監視子局と設備情報管理サーバとを用いた配電線の事故に関する事故情報を収集する事故情報収集システムであって、
前記設備情報管理サーバは、
配電線と当該配電線に接続されている監視子局を紐付けた第２の対応表を備える記憶部と、当該第２の対応表を前記監視制御サーバに送信する送信部と、を備え、
前記監視子局は、前記監視制御親局からの指示を受信し当該指示に応じて事故情報を送信する送受信部と、当該指示に含まれる事故情報として送信すべき情報を抽出する制御部と、を備え、
前記監視制御サーバは、前記設備情報管理サーバから第２の対応表を受信し当該受信した第２の対応表及び事故が発生した配電線と特定する情報、を前記監視制御親局へ送信する送受信部と、を備え、
前記監視制御親局は、配電線と当該配電線に接続されている監視子局を紐付けた第１の対応表を備える記憶部と、前記監視制御サーバ及び前記監視子局との通信を行なう送受信部と、事故情報の収集を制御する事故情報収集制御部と、を備え、
前記事故情報収集制御部は、
前記受信した事故が発生した配電線と特定する情報と、前記記憶部に格納された前記第１の対応表と、に基き当該事故が発生した配電線に接続する通信監視子局を抽出し、当該抽出した通信監視子局に対して前記事故情報を収集するよう前記監視制御親局の送受信部に指示し、前記監視制御サーバより受信した第２の対応表と前記第１の対応表との差分を確認し、前記第２の対応表にのみ記載された監視子局の情報を差分情報として抽出し、前記第２の対応表にのみ記載された監視子局に対して前記事故情報を収集するよう前記監視制御親局の送受信部に指示を出す
ことを特徴とする事故情報収集システム。
【請求項８】
請求項７に記載の事故情報収集システムにおいて、
前記第２の対応表は、前記第１の対応表よりも更新タイミングが早いことを特徴とする事故情報収集システム。
【請求項９】
請求項８に記載の事故情報収集システムにおいて、
前記第１の対応表は、所定のタイミングで前記設備情報管理サーバから前記監視制御サーバを介して前記第２の対応表を受信することで、情報を書き換えることを特徴とする事故情報収集システム。
【請求項１０】
請求項７乃至９のいずれか一項に記載の事故情報収集システムにおいて、
前記監視制御親局の送受信部は、前記監視子局に対して事故時以外の通常時で収集する情報よりも少ない項目の情報について収集するように指示を出すことを特徴とする事故情報収集システム。
【請求項１１】
請求項７乃至１０のいずれか一項に記載の事故情報収集システムにおいて、
前記監視子局に接続される監視対象の機器の種別に応じた優先度が前記監視子局に割り当てられており、
前記監視制御親局の送受信部は、前記優先度に応じて優先度の高い監視子局から事故情報の収集を行なうことを特徴とする事故情報収集システム。
【請求項１２】
請求項７乃至１１のいずれか一項に記載の事故情報収集システムにおいて、
前記監視制御親局の送受信部は、収集する対象の通信監視子局の数が規定値以上であった場合に、当該監視子局にブロードキャストで情報収集要求を出し、一定時間後に応答がなかった監視子局に対して、再度個別に事故情報の収集を行うことを特徴とする事故情報収集システム。
【発明の詳細な説明】
【技術分野】
【０００１】
本発明は、事故情報収集方法及びそのシステムに関する。
【背景技術】
【０００２】
変電所から遮断機を介して接続された配電線は、区間開閉器により複数区間に区分されている。この配電線に事故が発生すると、変電所の保護リレーにより変電所遮断機が開放し、区間開閉器も開放する。次に、一定時間経過後に変電所遮断機を再投入し、一定時間経過後に電源側から順次区間開閉器を投入し、再送電が行われる。このとき事故区間に送電されると事故が再現されるため、変電所遮断機が再び開放する。こうして事故区間の判定を行っている。
【０００３】
配電線遠隔監視制御システムでは、定期的に配電線上の複数地点（監視端末）の監視情報収集を行っており、１個ずつ順番に収集を行っている。事故停電のときにも監視端末のバッテリなどに蓄えられた電源が残っている間はその挙動は変わらず収集を続ける。しかし電源がなくなれば収集もできなくなるため、遠隔で事故発生時の情報を収集するためには、停電時開始から必要な監視情報を収集し終わるまでの間、電源を供給できる大容量のバッテリを監視端末に導入することが考えられている。しかし、大容量のバッテリの導入は保守等の作業が多く発生し、維持管理コストが増大する。なお、遠隔から監視情報の収集を行なう要請から、事故発生時の情報を含む監視情報を監視端末内に保持する仕組みは採用されていない。
【０００４】
このような大容量のバッテリを導入せずに、事故時の情報を遠隔から収集する仕組みとして特許文献１（特開２００２−３６５３２７号公報）がある。この公報には、配電系統の電柱上に事故検出器とＰＨＳ等の通信装置を配置し、事故発生時に電子メールをメールサーバに一斉送信することが開示されている。ここで、事故発生と同時にこの通信装置も停電となるが、メール発信は短時間に完了するため、コンデンサ式のバックアップ電源でよいことが記載されている（要約参照）。
【先行技術文献】
【特許文献】
【０００５】
【特許文献１】特開２００２−３６５３２７号公報
【発明の概要】
【発明が解決しようとする課題】
【０００６】
特許文献１に開示されている方法を適用してシステムを構築する場合は、遠隔地に事故発生時の情報を収集することはできるが、ＰＨＳ等の通信端末を新たに設置するコストや契約料・通信料等のランニングコストがかかる。また、社会インフラシステムであり、広範囲のエリアにわたるシステムであるため、公共の通信インフラを活用する場合には通信サービスの提供エリアでない場合には他の通信インフラに変更しなければならないリスクがある。特に、配電線遠隔監視制御システムのような社会インフラシステムは長期間運用されるが通信サービスなどの商用サービスはその提供する期間が短い。そのため、これらのサービスの提供が終了した場合にも他の通信インフラに変更しなければならないリスクがある。
【課題を解決するための手段】
【０００７】
そこで本発明では、監視情報を収集する子局の対象を工夫することで、PHS等の通信インフラを利用することなく、従来の小型バッテリの容量にて動作可能な時間内で事故時の監視子局の監視情報を収集することを以下の具体策により実現する。
【０００８】
本願は上記課題を解決する手段を複数含んでいるが、その一例を説明する。
【０００９】
配電線事故発生時に配電線遠隔監視制御サーバから該当配電線上の監視子局の情報収集を依頼された該当監視制御親局が、該当配電線上の監視子局から情報収集を行う。次に、配電線遠隔監視制御サーバが設備管理サーバから該当する配電線・監視子局対応管理テーブルを入手し、入手した該当テーブルに基づき、直近の配電網の切り替えにより生じた通信線と監視子局の対応に関する差分情報を該当監視制御親局に通知する。差分情報を通知された監視制御親局はこの差分情報に基づき差分の監視子局から情報収集を行い収集した情報を配電線遠隔監視制御サーバに送信する。
【発明の効果】
【００１０】
本願発明によればＰＨＳ等の通信インフラの影響を受けずに、遠隔で事故発生時の情報を遠隔地に収集できる。
【００１１】
更に、全ての監視子局の情報を収集するのではなく、該当する配電線上の監視子局の情報のみを収集するため、短時間で必要最低限の情報収集が行え、コンデンサ式のバックアップ電源のような安価な装置で実現が可能となる。そのため、導入コストや維持管理コストが低減される。
【００１２】
更に、区間開閉器間より狭い範囲で事故発生地点を特定することも可能になるため、現場の保守員に事故地点の情報を絞って伝えることや、予め事故地点の情報を得ることで復旧作業に必要な機器や工具も事前に準備することができ、復旧作業時間が短縮され、停電時間も短縮されるという副次的な効果も奏する。
【図面の簡単な説明】
【００１３】
【図１】配電線遠隔監視制御システムのシステム構成図の例である。
【図２】監視制御親局のハードウエア構成図の例である。
【図３】配電線・監視子局対応管理テーブルの例である。
【図４】実施例１における収集管理テーブルの例である。
【図５】事故情報収集処理を説明するフローチャートの例である。
【図６】ステップ５００を詳細に説明するフローチャートの例である。
【図７】サーバ向け送受信部のステップ５０１を詳細に説明するフローチャートの例である。
【図８】実施例１における通信線向け送受信部のステップ５０１を詳細に説明するフローチャートの例である。
【図９】ステップ５０２、５０３を詳細に説明するフローチャートの例である。
【図１０】実施例２における機器種別管理テーブルの例である。
【図１１】実施例２における通信線向け送受信部が作成する収集管理テーブルの例である。
【図１２】実施例２における通信線向け送受信部のステップ５０１を詳細に説明するフローチャートの例である。
【図１３】実施例３における収集管理テーブルの例である。
【図１４】実施例３における通信線向け送受信部のステップ５０１を詳細に説明するフローチャートの例である。
【図１５】監視子局のハードウエア構成図の例である。
【発明を実施するための形態】
【００１４】
以下、実施例を図面を用いて説明する。
【実施例１】
【００１５】
本実施例では、配電線事故時に該当する配電線の事故情報を高速に収集する方法及びシステムの例を説明する。
【００１６】
図１は、本実施例の配電線遠隔監視制御システム構成図の例である。配電用変電所１００から配電線１０１を介して電力が送電される。配電用変電所１００からは複数の配電線１０１が出ている。配電線１０１は複数の区間開閉器１０２で区分されており、配電線事故時には区間開閉器１０２間の範囲に事故が発生していることがわかるようになっている。この区間開閉器１０２間の距離は数km以上にも渡る。配電用変電所１００には、変電所クライアント１０３、監視制御親局１０４が設置されている。変電所クライアント１０３は、配電用変電所１００内の監視制御を行っており、配電線事故が発生したときには変電所クライアント１０３が検知できるようになっている。監視制御親局１０４からは通信線１０５が複数伸びており、配電線１０１上の複数の地点にある監視子局１０６と接続されている。配電線１０１の配置と通信線１０５の配置は１対１に対応しておらず、複数の配電線１０１にまたがって通信線１０５が敷設されている。なお、通信線１０５は光ファイバ、メタル線、同軸ケーブル、無線等である。監視子局１０６は、区間開閉器１０２やその他配電線１０１上に接続された各種機器や地点に設置されており、機器制御情報や電圧計測値、事故方向検知情報等の情報について監視制御親局１０４との間で送受信している。営業所１０７には、配電線遠隔監視制御サーバ１０８、設備情報管理サーバ１０９が設置されている。配電線遠隔監視制御サーバ１０８は、広域ネットワーク１１０を介して複数の配電変電所１００の監視制御親局１０４と接続されており、配電線１０１上の各種機器の機器制御、監視、情報収集を行っている。広域ネットワーク１１０は、光ファイバ、メタル線、同軸ケーブル、無線等である。設備情報管理サーバ１０９は、各種設備機器の情報を管理している。変電所遠隔監視制御サーバ１１１は、広域ネットワーク１１２を介して複数の配電変電所１００の変電所クライアント１０３、複数の営業所１０７の配電線遠隔監視制御サーバ１０８と接続されており、配電変電所１００内の各種機器の機器制御、監視、情報収集を行っており、各種情報を配電線遠隔監視制御システムサーバ１０８に送信している。広域ネットワーク１１２は、光ファイバ、メタル線、同軸ケーブル、無線等である。事故情報配信サーバ１１３は、広域ネットワーク１１４を介して各営業所１０７の配電線遠隔監視制御システムサーバ１０８と接続されており、停電等の事故情報を受信すると、広域ネットワーク１１４を介して保守員や巡視員の持つ車載端末１１５や作業者端末１１６に情報を送信する。広域ネットワーク１１４は、光ファイバ、メタル線、同軸ケーブル、無線等である。広域ネットワーク１１０、１１２、１１４は物理的もしくは論理的に同一ネットワークでも良い。
【００１７】
図２は、監視制御親局１０４の構成図の例である。監視制御親局１０４は、サーバ向け送受信部２００、各通信線向け送受信部２０１、制御部２０３、記憶部２０４、２０５を備える。これらは内部バス２０２等で接続される。サーバ向け送受信部２００は、図１における広域ネットワーク１１０を介して営業所１０７の配電線遠隔監視制御システムサーバ１０８と情報の送受信を行ったり、各通信線向け送受信部２０１と情報の送受信を行ったりする。各通信線向け送受信部２０１は、図１における通信線１０５を介して監視子局１０６と情報の送受信を行ったり、サーバ向け送受信部２００と情報の送受信を行ったりする。
【００１８】
図１５は、監視子局１０６のハードウエア構成図の例である。監視子局１０６は他の監視子局または監視制御親局との通信を行ない、高速情報収集命令を受信し、その収集命令に対してこの子局が有する情報を送信する通信部１０６aと、監視子局の種々の動作を制御する制御部１０６bと、区間開閉器などの情報を取得する監視情報取得部１０６cと、取得した種々の情報を記憶する記憶部１０６dとを備える。
【００１９】
図３は、図１における営業所１０７の設備情報管理サーバ１０９および、配電線遠隔監視制御システムサーバ１０８で管理される配電線・監視子局対応管理テーブル３００の例である。配電線・監視子局対応管理テーブル３００の登録項目は、配電変電所ＩＤ３０１、配電線ＩＤ３０２、監視制御親局ＩＤ３０３、通信線ＩＤ３０４、監視子局ＩＤリスト３０５、最終更新時刻３０６である。配電変電所ＩＤ３０１は、配電変電所１００の識別子に相当するものである。配電線ＩＤ３０２は、配電線１０１の識別子に相当するものである。監視制御親局ＩＤ３０３は、監視制御親局１０４の識別子に相当するものである。通信線ＩＤ３０４は、通信線１０５の識別子に相当するものである。監視子局ＩＤリスト３０５は、監視子局１０６の識別子のリストに相当するものである。最終更新時刻３０６は配電線・監視子局対応管理テーブル３００の各行の情報の最終更新時刻である。配電線・監視子局対応管理テーブル３００の各行を参照することにより、各配電線１０１に設置された監視子局１０６の一覧やそれら監視子局が接続される通信線１０５の情報を取得することが出来る。配電線・監視子局対応管理テーブル３００は設備情報管理サーバ１０９および、配電線遠隔監視制御サーバ１０８で個別に管理されており、定期的に（例えば1日に1回）自動もしくは手動で最終更新時刻３０６を比較することで最新の状態に一致化されるものとする。ここで一致化とは、設備情報管理サーバ１０９の最新情報にて配電線遠隔監視制御サーバ１０８の配電線・監視子局対応管理テーブル３００を上書きすることを意味する。この通信線と監視子局の対応関係は、開閉器の入り切りにより変更されるものであるため、どの時点での対応関係を示したテーブルであるかを示すため、最終更新時刻が必要となる。ここで、配電線遠隔監視制御サーバ108に格納された配電線・監視子局対応管理テーブルを第１の対応表とし、設備情報管理サーバ109に格納された配電線・監視子局対応管理テーブルを第２の対応表とする。
【００２０】
図４は、事故発生時に配電線遠隔監視制御サーバ１０８によって、配電線・監視子局対応管理テーブル３００に基き作成される収集管理テーブル４００の例である。このテーブルは、配電線遠隔監視制御サーバ１０８から監視制御親局１０４に送信される。収集管理テーブル４００の登録項目は、通信線ＩＤ３０４、監視子局ＩＤリスト３０５である。
【００２１】
図５のフローチャートを用いて、事故情報収集処理方式を説明する。配電線事故が発生したことを配電変電所１００の変電所クライアント１０３が検知し、変電所遠隔監視制御サーバ１１１経由で営業所１０７の配電線遠隔監視制御システムサーバ１０８に通知されることにより図５に示すフローチャートの処理を開始する。まず、配電線遠隔監視制御サーバ１０８が、変電所遠隔監視制御サーバ１１１からの通知に含まれる情報に基づき、配電線事故が発生した該当監視制御親局１０４に該当配電線１０１上の監視子局１０６の情報を高速収集する依頼を行う（ステップ５００）。監視制御親局が高速収集する監視子局１０６の特定は配電線遠隔監視制御サーバ１０８から受信した収集管理テーブル４００を用いて行なう。ステップ５００における配電線遠隔監視制御サーバ１０８の処理の詳細については、図６にて説明する。次に、該当監視制御親局１０４が、該当配電線１０１上の監視子局１０６に対して高速情報収集を行う（ステップ５０１）。ステップ５０１におけるサーバ向け送受信部２００の処理の詳細については図７、通信線向け送受信部２０１の処理の詳細については図８にて説明する。次に、配電線遠隔監視制御サーバ１０８が、設備情報管理サーバ１０９から該当する配電線・監視子局対応管理テーブル３００を入手する（ステップ５０２）。次に、配電線遠隔監視制御サーバ１０８が、該当テーブルを確認し、予め保持している配電線・監視子局対応管理テーブル３００との差分を確認する（ステップ５０３）。差分がある場合は、差分情報を抽出し、その差分情報を該当監視制御親局１０４に送信する（ステップ５０４）。ここで差分情報とは、設備情報管理サーバ１０９から該当する配電線・監視子局対応管理テーブル３００にのみ記載された通信子局についての情報を指す。ステップ５０２、５０３、５０４における配電線遠隔監視制御サーバ１０８の処理の詳細については、図９にて説明する。次に、該当監視制御親局１０４が、差分である監視子局１０６から追加の情報収集を行う（ステップ５０５）。ステップ５０５における情報収集の処理詳細はステップ５０１と同様である。次に、該当監視制御親局１０４が、収集した監視子局１０６の情報を配電線遠隔監視制御システムサーバ１０８に送信し（ステップ５０６）、処理を終了する。ここで、ステップ５０３にて差分が無い場合は、その確認後、ステップ５０６に移行する。
【００２２】
このように差分情報を確認することで、予め配電線遠隔監視制御サーバが把握していた配電網の状態から、開閉器の開閉により配電状態が変更された場合であっても、事故を起こしている配電線に現在接続されている監視子局から適切に事故情報を取得することができる。
【００２３】
図６のフローチャートに基き、ステップ５００における配電線遠隔監視制御サーバ１０８の処理の詳細を説明する。まず配電線遠隔監視制御サーバ１０８は変電所遠隔監視制御サーバ１１１から配電変電所ｘの配電線ｙの事故発生を受信する（ステップ６００）。次に、配電線遠隔監視制御サーバ１０８が保持する配電線・監視子局対応管理テーブル３００から配電変電所ＩＤ３０１がｘ、配電線ＩＤ３０２がｙに該当する行を抽出する（ステップ６０１）。次に、抽出した行から監視制御親局ＩＤ３０３ごとに通信線ＩＤ３０４、監視子局リスト３０５を抽出し、収集管理テーブル４００を作成する（ステップ６０２）。次に、抽出した監視制御親局ＩＤ３０３に該当する監視制御親局１０４にステップ６０２で作成した収集管理テーブル４００を送信する（ステップ６０３）。次に、該当する全ての監視制御親局１０４に収集管理テーブル４００を送信済みか確認し（ステップ６０４）、送信済みでなければステップ６０３を実行する。送信済みであれば処理を終了する。
【００２４】
図７のフローチャートに従って、ステップ５０１におけるサーバ向け送受信部２００の処理の詳細を説明する。まず、監視制御親局１０４のサーバ向け送受信部２００は配電線遠隔監視制御サーバ１０８から収集管理テーブル４００を受信する（ステップ７００）。次に、受信した収集管理テーブル４００の各行の通信線ＩＤ３０４に該当する通信線向け送受信部２０１に対して通常収集処理を止める指令を出す（ステップ７０１）。ここで、サーバ向け送受信部２００は、収集管理テーブル４００をそのまま通信線向け送受信部２０１に送信してもよいし、その通信線向け送受信部２０１に関係する通信線ＩＤの行のみを抽出して、その抽出した情報（収集管理テーブル４００を加工した情報）を該当する通信線向け送受信部２０１に送信してもよい。
【００２５】
通信線向け送受信部２０１は、通常時は通信線１０５上の各監視子局１０６と順番に情報の送受信を行い、制御や監視を行っている。送受信する情報は、各種機器の状態情報、事故検出状態情報、センサによる計測値情報等が含まれる。次に、受信した収集管理テーブル４００に含まれる全ての該当する通信線ＩＤ３０４に対して処理を止めたかどうか確認し（ステップ７０２）、処理を終了していなければステップ７０１を実行する。終了していれば次に、受信した収集管理テーブル４００から1行取り出し、該当通信線ＩＤ３０４の通信線向け送受信部２０１に高速情報収集命令を出す（ステップ７０３）。高速情報収集命令は、通常の収集命令とは異なり、配電線事故に関する最低限必要な情報のみ送受信するものである。具体的には、収集が必要な項目を指定することにより最低限必要な情報を特定する。このような収集命令を受けた監視子局は、この命令に含まれる、指定された収集が必要な項目を確認して、それに関する情報を監視制御親局に送信する。
【００２６】
送受信する情報を少なくすることで、高速に情報収集を行うことが出来る。送受信する情報は事故検出状態情報等が含まれる。次に、受信した収集管理テーブル４００から他の行を順次取り出し高速収集命令を出す。そして、受信した収集管理テーブル４００に含まれる全ての該当する通信線ＩＤ３０４に対して高速情報収集命令を出したかどうか確認し（ステップ７０４）、処理を終了していなければステップ７０３を実行する。終了していれば処理を終了する。
【００２７】
図８のフローチャートに従って、ステップ５０１における通信線向け送受信部２０１の処理の詳細を説明する。まず、監視制御親局１０４のサーバ向け送受信部２００から通常収集処理を止める指令を受信し、通常収集処理を止める（ステップ８００）。次にサーバ向け送受信部２００から収集管理テーブル４００を受信する（ステップ８０１）。次に、受信した収集管理テーブル４００から監視子局ＩＤリスト３０５を取り出し、該当する監視子局１０６に高速情報収集要求を送信する（ステップ８０２）。次に、高速情報収集要求に対する応答を監視子局１０６から受信したかどうかを確認し（ステップ８０３）、受信していればサーバ向け送受信部２００に受信データを送信する（ステップ８０４）。受信していなければタイムアウトかどうかを判定し（ステップ８０５）、タイムアウトでなければステップ８０３を実行し、タイムアウトであればステップ８０６を実行する。次に、全ての該当する監視子局ＩＤに対して高速情報収集要求を送信したかどうかを確認し（ステップ８０６）、送信済みでなければステップ８０２を実行し、送信済みであれば処理を終了する。
【００２８】
図９のフローチャートに従って、ステップ５０２、５０３、５０４における配電線遠隔監視制御サーバ１０８の処理の詳細を説明する。まず、配電線遠隔監視制御サーバ１０８は、設備情報管理サーバ１０９の保持する配電線・監視子局対応管理テーブル３００から停電検知した配電変電所ｘ配電線ｙの行を抽出する（ステップ９００）。次に、抽出した行の最終更新時刻３０６の方が、配電線遠隔監視制御システムサーバ１０８の保持する配電線・監視子局対応管理テーブル３００の該当する行の最終更新時刻３０６より新しいかどうかを確認し（ステップ９０１）、新しくなければ処理を終了する。新しければ、配電変電所ｘ配電線ｙのデータの差分を抽出する（ステップ９０２）。次に、追加収集する監視子局ＩＤリスト３０５を抽出し、監視制御親局ＩＤ３０３ごとに新たな収集管理テーブル４００を作成する（ステップ９０３）。次に、該当する監視制御親局ＩＤ３０３に対して新たな収集管理テーブル４００を送信する（ステップ９０４）。次に、該当する全ての監視制御親局１０４に作成した新たな収集管理テーブル４００を送信済みかどうか確認し（ステップ９０５）、送信済みでなければステップ９０４を実行する。送信済みであれば処理を終了する。
【００２９】
このように、まず配電線遠隔監視制御サーバ１０８が有する配電線・監視子局対応管理テーブル３００に基いて高速情報収集する対象を決めて収集し、その後に、最新の配電線・監視子局対応管理テーブル３００に基いて収集漏れが無いかを確認することで、全体として処理を早め、かつ高精度で情報収集することが可能になる。
【実施例２】
【００３０】
実施例２は、図５におけるステップ５０１、ステップ５０４における複数の該当監視子局１０６から高速情報収集する順番が監視子局１０６に接続された機器の種別により優先度を分けて優先度の高いものから順番に収集するという点で実施例１と異なる。該当配電線１０１に対応する該当監視子局１０６の個数が多い場合、停電が発生してから監視子局１０６のコンデンサ式バックアップ電源がなくなるまでの間に全ての該当する監視子局１０６から情報収集することが出来なかった場合にも事故発生箇所や事故原因を特定するのに必要な情報を優先的に収集することが可能となる。例えばＳＶＲ（電圧調整器：Step Voltage Regulator）に接続された監視子局１０６や区間開閉器１０２に接続された監視子局１０６よりも、事故方向表示機能つき開閉器に接続された監視子局１０６の優先度を高くする等である。なお、コンデンサ式バックアップ電源の持続時間は１５秒程度である。
【００３１】
図１０は、実施例２における監視制御親局１０４の通信線向け送受信部２０１が保持する機器種別管理テーブル１０００の例である。機器種別管理テーブル１０００の登録項目は、監視子局ＩＤ１００１、機器種別ＩＤ１００２、収集優先度１００３である。監視子局ＩＤは監視子局の識別子であり、機器種別ＩＤ１００２は、機器の種別を表す識別子である。収集優先度１００３は高速収集時の収集の順番を決めるために利用する。
【００３２】
図１１は、実施例２における監視制御親局１０４の通信線向け送受信部２０１が作成する収集管理テーブル１１００の例である。収集管理テーブル１１００の登録項目は、収集優先度１００２、監視子局ＩＤリスト３０５である。ここで、当収集管理テーブル１１００は通信線ＩＤ毎に作られた例を示している。複数の通信線の情報を合わせて一つの収集管理テーブルを作成する場合は、実施例１の図４のように、通信線ＩＤの欄を設ければ良い。
【００３３】
事故情報収集処理方式は図５のフローチャートと同様である。
【００３４】
図１２のフローチャートに従って、ステップ５０１における通信線向け送受信部２０１の処理の詳細を説明する。ステップ８０１までの処理は図８と同様である。ステップ８０１の次に、受信した収集管理テーブルに含まれている監視子局ＩＤリスト３０５の各監視子局ＩＤに対し、通信線向け送受信部２０１が保持する機器種別管理テーブル１０００から該当監視子局ＩＤ１００１の収集優先度１００３を抽出し、優先度ごとに並べ替えて収集管理テーブル１１００を作成する（ステップ１２００）。次にステップ８０２を実行する。ステップ８０２からステップ８０６までの処理は図８と同様である。ステップ８０６の次に、収集管理テーブル１１００に登録されている全ての収集優先度１００２で高速情報収集要求を送信済みであるかどうか確認し（ステップ１２０１）、送信済みでなければタイムアウトかどうかを判定し（ステップ１２０２）、タイムアウトでなければステップ８０２を実行し、タイムアウトであれば処理を終了する。ステップ１２０１において送信済みであれば処理を終了する。
【００３５】
ステップ５０４における情報収集の処理詳細はステップ図１２と同様である。
【実施例３】
【００３６】
実施例３は、図５におけるステップ５０１、ステップ５０４における通信線ごとの収集対象の該当監視子局１０６数が規定値以上であった場合に、一斉情報収集要求を出し、一定時間後に応答がなかった監視子局のみ、個別に収集を行うという点で実施例１、２と異なる。該当配電線１０１に対応する該当監視子局１０６の個数が多い場合、監視子局１０６を１台ずつ個別に情報収集する場合、通信回数が多くなるため、ブロードキャストで一斉情報収集要求を出すことで、通信回数を減らすことが出来、短時間で多くの監視子局１０６の情報収集を行うことが出来る。この場合、複数の監視子局が同時に応答情報を送信し、通信路１０５上でデータ衝突が起こり、応答情報を受信できない可能性があるため、一定時間後に応答がなかった監視子局のみ、個別に収集を行うことでより多くの監視子局１０６の情報収集を行うことが出来る。なお、このような監視子局の数に応じてブロードキャストする情報収集は、最初の情報収集（Ｓ５０１）のみならず、差分情報に基づいた情報収集（Ｓ５０５）においても、監視子局が多い場合は、このようなブロードキャストを実施してもよい。
【００３７】
図１３は、実施例３における配電線遠隔監視制御システムサーバ１０８から監視制御親局１０４に送信される収集管理テーブル４００の例である。収集管理テーブル４００の登録項目は、通信線ＩＤ３０４、監視子局ＩＤリスト３０５、収集個数１３００である。収集個数１３００は、各行における監視子局ＩＤリスト３０５に登録されている監視子局数である。
【００３８】
事故情報収集処理方式は図５のフローチャートと同様である。ステップ５０１における通信線向け送受信部２０１の処理の詳細を、図１４のフローチャートに従って説明する。ステップ８０１までの処理は図８と同様である。ステップ８０１の次に、受信した収集管理テーブルに含まれている収集個数が規定値以上かどうかを確認し（ステップ１４００）、規定値より小さければステップ８０２を実行する。規定値は例えば２０等である。規定値以上であれば、次に、一斉情報収集要求を送信する（ステップ１４０１）。一斉情報収集要求は例えばブロードキャスト等である。一斉情報収集要求には応答が必要な監視子局ＩＤリスト３０５が含まれており、一斉情報収集要求を受信した監視子局１０６は、該当する監視子局ＩＤであれば応答を送信する。次に、応答を監視子局１０６から受信したかどうかを確認し（ステップ１４０２）、受信していればステップ８０４を実行する。受信していなければタイムアウトかどうかを判定し（ステップ１４０３）、タイムアウトでなければステップ１４０２を実行し、タイムアウトであればステップ８０２を実行する。応答を受信してステップ８０４を実行した後、応答を受信した監視子局１０６の監視子局ＩＤを収集管理テーブル４００の監視子局ＩＤリスト３０５から削除する（ステップ１４０４）。次に収集管理テーブル４００の監視子局ＩＤリスト３０５が空かどうかを確認し（ステップ１４０５）、空であれば処理を終了する。リストが残っていれば、ステップ１  ４０２を実行する。ステップ８０２からステップ８０６までの処理は図８と同様である。
【００３９】
ステップ５０４における情報収集の処理詳細はステップ図１４と同様である。
【００４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の一部の構成について、他の構成の追加・削除・置換をすることが可能である。
【符号の説明】
【００４１】
１０８  配電線遠隔監視制御システムサーバ
１０９  設備情報管理サーバ
１１０  広域ネットワーク
１０４  監視制御親局
１０５  通信線
１０６  監視子局
１００  配電変電所
１０１  配電線
【図１】
0005714518.tif 000002
【図２】
0005714518.tif 000003
【図３】
0005714518.tif 000004
【図４】
0005714518.tif 000005
【図５】
0005714518.tif 000006
【図６】
0005714518.tif 000007
【図７】
0005714518.tif 000008
【図８】
0005714518.tif 000009
【図９】
0005714518.tif 000010
【図１０】
0005714518.tif 000011
【図１１】
0005714518.tif 000012
【図１２】
0005714518.tif 000013
【図１３】
0005714518.tif 000014
【図１４】
0005714518.tif 000015
【図１５】
0005714518.tif 000016